(57)【要約】      （修正有）【課題】コインの消失手品を簡単に行えるコップを提供する。【解決手段】有底のコップ１の側面の底面４の近くに横長の通過孔５を穿設し、底面４の直上の空間と外部とを連通する通過孔５は底面４の上に入れたコイン１４を、コップ１を傾けることで外部に排出可能に形成する。通過孔５の外側に両面粘着テープを貼着して塞ぎ、両面粘着テープの上を指で押さえてコップ１を持ち、水を注いで洩れないことを示す。コップ１の水を捨て、指をコップ１から離す。両面粘着テープは指に着いたまま通過孔５から剥がれる。コップ１の中にコイン１４を入れて客に見せる。ハンカチ１３を入れ、コップ１の前を手で隠しながら通過孔５を後ろ側に回し、コップ１を後ろ斜め方向に傾けて、通過孔５からコイン１４を底面４の上からコップ１の外部に排出して別の手で受け、客に気づかれないようにコイン１４を隠す。【選択図】図４
0003197379.tif 000002
【実用新案登録請求の範囲】
【請求項１】
コップ内の底面近くに内外を連通する横長の通過孔を形成し、
この通過孔を通してコップ内の底面に入れたコイン類をコップを傾けて外部に排出可能としたこと、
を特徴とする手品用コップ。
【請求項２】
コップの外側に通過孔を塞ぐようにして両面粘着テープを貼着したこと、
を特徴とする請求項１記載の手品用コップ。
【考案の詳細な説明】
【技術分野】
【０００１】
本考案は手品用コップに係り、とくにコインの消失などの手品に好適な手品用コップに関する。
【背景技術】
【０００２】
手品芸は人を楽しませるだけでなく、「不思議」と思うときに脳の血流量が増すことでぼけ防止などの健康面にも役立つ。従来から種々の手品用のギミックが使用されているが、素人でも簡単に手品ができるものが少なかった。
【先行技術文献】
【特許文献】
【０００３】
【特許文献１】特許第２５６５６６２号公報
【考案の概要】
【考案が解決しようとする課題】
【０００４】
本考案は上記した従来技術の問題に鑑みなされたもので、コインの消失などの手品を容易に行える手品用コップを提供することを、その目的とする。
【課題を解決するための手段】
【０００５】
本考案では、コップ内の底面近くに内外を連通する横長の通過孔を形成し、
この通過孔を通してコップ内の底面に入れたコイン類をコップを傾けて外部に排出可能としたこと、
を特徴としている。
他の考案では、コップの外側に通過孔を塞ぐようにして両面粘着テープを貼着したこと、
を特徴としている。
【考案の効果】
【０００６】
本考案によれば、コップに入れたコイン類をコップを傾けるだけで通過孔を通して外部に排出できるので、指で隠すなどして通過孔の存在を客に気づかれないようにするだけで、簡単にコイン類の消失手品を行える。またコップに通過孔を形成するだけなので構造が簡単で済む。
他の考案によれば、コップの外面に通過孔を塞ぐ両面粘着テープを貼着したので、両面粘着テープを指で押さえながらコップに水を注いでも水が洩れず、手品の最初にコップに仕掛けがないことを客にアピールでき、このあと水を捨てて指を離せば、指に両面粘着テープが付いてくるので、わざわざ両面粘着テープを剥がす動作をしなくても、自然に通過孔を開放してコイン類の消失手品を行える。
【図面の簡単な説明】
【０００７】
【図１】本考案の一実施例に係る手品用コップの正面図である（実施例１）。
【図２】図１のＩＩ−ＩＩ’線に沿った縦断面図である。
【図３】図１の手品用コップの使用方法の説明図であり、図３（１）乃至（４）はコップを立てた状態を正面側から見た図を示し、図３（５）はコップの開口部を前向きに倒した状態を正面側から見た図を示す。
【図４】図１の手品用コップの使用方法の説明図であり、図４（１）、（２）、（４）はコップを立てた状態を正面側から見た図を示し、図４（３）はコップを立てた状態を上から見下ろした図を示す。。
【考案を実施するための最良の形態】
【０００８】
以下、本考案の最良の形態を実施例に基づき説明する。
【実施例１】
【０００９】
図１と図２を参照して本考案の一実施例を説明する。図１は本考案に係る手品用コップの正面図、図２は図１のＩＩ−ＩＩ’線に沿った縦断面図である。
これらの図において、１は有底の透明なコップであり、上端が開口部２となっている。コップ１の側面３には内部の底面４の近くに横長の通過孔５が穿設されており、底面４の直上の空間と外部とが連通されている。通過孔５は底面４の上に横向きに入れたコイン類（図３と図４の符号１４参照）を、コップ１を少し傾けることで外部に排出可能な位置及び大きさに形成されている。
【００１０】
次に図３と図４を参照して上記した実施例の使用方法を説明する。
予め、コップ１の外面に通過孔５を水密に塞ぐようにして両面粘着テープ１０を貼着しておく（図３（１）参照）。
最初に、客に対しコップ１に仕掛けが無いことをアピールするため、図３（２）に示す如く、両面粘着テープ１０の上を押さえるようにして指１１でコップ１を持ち、水１２を注いで洩れないことを示す。
次に、図３（３）に示す如く、コップ１の水１２を捨て、ハンカチ１３で拭きながら指１１をコップ１から離す。両面粘着テープ１０は水１２に濡れた面の粘着力が落ちているので、指１１に着いたまま通過孔５から剥がれる。
次に、図３（４）に示す如く、コップ１の中にコイン（例えば、ハーフダラーコイン）１４を入れる。この際、通過孔５は客から見えないように横向きとする。そして、図３（５）に示す如く、コップ１の開口部２を前向きにしてコップ１にコイン１４が入っていることを客に見せる。
次に、図４（１）に示す如く、コップ１を立てに戻し、ハンカチ１３を入れてコイン１４を開口部２から出せないようにする。
そして、図４（２）に示す如く、コップ１の前を手１５で隠しながら通過孔５を後ろ側に回し、コップ１を後ろ斜め方向に傾けて、通過孔５からコイン１４を底面４の上からコップ１の外部に排出して別の手で受け、客に気づかれないようにコイン１４を隠す。
最後に、コップ１の通過孔５を客から見えないように横向きにするとともにハンカチ１３を抜き、客にコイン１４の消えたコップ１を見せる。
【００１１】
この実施例によれば、コップ１に入れたコイン１４を、コップ１を傾けるだけで通過孔５を通して外部に排出できるので、指や手で隠すなどして通過孔５の存在を客に気づかれないようにするだけで、簡単にコイン１４の消失手品を行える。またコップ１に通過孔５を形成するだけなので構造が簡単で済む。
また、コップ１の外面に通過孔５を塞ぐ両面粘着テープ１０を貼着しておくことで、両面粘着テープ１０を指１１で押さえながらコップ１に水１２を注いでも水１２が洩れず、手品の最初にコップ１に仕掛けがないことを客にアピールでき、このあと水１２を捨てて指１１を離せば、指１１に両面粘着テープ１０が付いてくるので、わざわざ両面粘着テープ１０を剥がす動作をしなくても、自然に通過孔５を開放してコイン１４の消失手品を行える。
【００１２】
なお、上記した実施例では、を省略しても良い。
【産業上の利用可能性】
【００１３】
本考案は、コイン類の消失等の手品に使用するギミックに適用可能である。
【符号の説明】
【００１４】
１  手品用コップ
３  側面
４  底面
５  通過孔
１０  両面粘着テープ
１４  コイン
【図１】
0003197379.tif 000003
【図２】
0003197379.tif 000004
【図３】
0003197379.tif 000005
【図４】
0003197379.tif 000006